(57)【特許請求の範囲】
【請求項１】
装置本体と、前記装置本体に対して開閉する開閉部材と、前記開閉部材の開閉状態を検知するための検知手段と、前記開閉部材の開閉動作に連動して移動し、前記開閉部材が閉じた状態で前記検知手段を押圧するための押圧部材と、前記押圧部材を回転可能に支持する回転軸部と、を有する画像形成装置において、
前記開閉部材には、前記開閉部材が閉じる際に前記押圧部材と係合するための係合部が設けられており、
前記押圧部材には、前記係合部と係合する係合受け部と、前記検知手段を押圧する押圧部と、が設けられており、
前記開閉部材が閉じる際に、前記係合部が前記係合受け部に係合して、前記開閉部材が閉じる動作に連動して前記押圧部材が回転し、前記押圧部が前記検知手段を押圧することで前記検知手段を動作させ、
前記係合部が前記係合受け部に係合し前記開閉部材が閉じた状態において、前記押圧部材は、前記検知手段から前記押圧部材に作用する力の作用線が前記回転軸部を通過するように、構成されていることを特徴とする画像形成装置。
【請求項２】
前記押圧部材は、前記装置本体に設けられた前記回転軸部を中心に回転移動することを特徴とする請求項１に記載の画像形成装置。
【請求項３】
前記押圧部材において、前記検知手段と当接する部分は円弧面となっており、
前記円弧面の中心軸線は、前記回転軸部の中心と一致していることを特徴とする請求項１または２に記載の画像形成装置。
【請求項４】
前記押圧部材の回転方向に対して中立点をまたぐことで、前記押圧部材の回転方向が変わるように前記押圧部材に付勢力を付与する付勢部材を有し、
前記押圧部材は、前記開閉部材が開閉する際に前記付勢力が前記中立点を通過するように配置されることを特徴とする請求項２または３に記載の画像形成装置。
【請求項５】
前記検知手段は、前記押圧部材による押圧力によって弾性変形するばね機構を有することを特徴とする請求項１から４のいずれか１項に記載の画像形成装置。
【請求項６】
前記検知手段は、電気的接点を有するスイッチであることを特徴とする請求項１から５のいずれか１項に記載の画像形成装置。
【請求項７】
像担持体に静電潜像を形成するための露光手段を有し、
前記検知手段は、前記開閉部材が開いた状態であることを検知した場合に、電源から前記露光手段への電力の供給を遮断することを特徴とする請求項１から６のいずれか１項に記載の画像形成装置。
【請求項８】
前記開閉部材が配置される面と隣接する面に配置される他の開閉部材と、前記他の開閉部材の開閉動作と連動して移動する他の押圧部材とが配置され、
前記押圧部材は、前記開閉部材と前記他の開閉部材とがともに閉じた状態で、前記他の押圧部材を介して前記検知手段を押圧することで前記検知手段を動作させ、
前記検知手段から前記他の押圧部材を介して前記押圧部材に作用する反力は、前記装置本体に設けられた前記回転軸部に向かっていることを特徴とする請求項１から７のいずれか１項に記載の画像形成装置。
【請求項９】
前記他の開閉部材が開いた状態であり、前記開閉部材が閉じた状態では、前記他の押圧部材が前記検知手段から離間した第１状態となっており、前記第１状態から前記他の開閉部材が閉じると、前記他の開閉部材が閉じる動作と連動して前記他の押圧部材が移動することで、前記他の押圧部材を介して前記押圧部材が前記検知手段を押圧し、
前記他の開閉部材が閉じた状態であり、前記開閉部材が開いた状態では、前記他の押圧部材が前記検知手段に接近した第２状態となっており、前記第２状態から前記開閉部材が閉じると、前記開閉部材が閉じる動作と連動して前記押圧部材が移動することで、前記他の押圧部材を介して前記押圧部材が前記検知手段を押圧することを特徴とする請求項８に記載の画像形成装置。
【請求項１０】
前記他の押圧部材は、回転軸を中心に回転可能に支持されており、前記押圧部材が前記他の押圧部材の一部を押圧することで前記他の押圧部材が前記回転軸を中心に回転して、前記他の押圧部材の他の部分が前記検知手段を押圧することで前記検知手段を動作させ、
前記他の押圧部材の前記回転軸が前記他の開閉部材の開閉動作に連動して移動し、前記他の開閉部材が開いた状態では前記第１状態に、前記他の開閉部材が閉じた状態では前記第２状態になることを特徴とする請求項９に記載の画像形成装置。
【請求項１１】
前記開閉部材が配置される第１面と、前記他の開閉部材が配置される第２面とは直交しており、
前記開閉部材の回転軸は前記第２面と直交しており、前記他の開閉部材の回転軸は第１面と直交していることを特徴とする請求項１０に記載の画像形成装置。
【発明の詳細な説明】
【技術分野】
【０００１】
本発明は、現像剤を用いて記録媒体に画像を形成する画像形成装置に関し、特に、装置本体に設けられる開閉部材の開閉を検知する検知手段を備えた画像形成装置に関する。
【背景技術】
【０００２】
近年、電子写真方式を用いた画像形成装置には、消耗品の交換やジャムの解消などをユーザが簡単に行えるように、画像形成装置の内部を露出させるための開閉部材が複数設けられている。このような開閉部材の開閉を検知するために、特許文献１に開示されている技術では、装置本体に検知手段を設け、検知手段をカバー（開閉部材）の開閉によってオン・オフするように構成されている。この特許文献１では、カバーが開放されると、警報装置が作動するように構成されていた。
この特許文献１では、検知手段の具体的な作動機構は記載されていないが、開閉部材の開閉動作に連動して移動する作動機構を装置本体側に設けたものが知られている（特許文献２、図５参照）。
【０００３】
特許文献２に開示される技術では、２つのカバー（開閉部材）の開閉動作を１つのマイクロスイッチ（検知手段）で検知する構成となっている。すなわち、トップカバー（開閉部材）の閉動作によって第１の方向に移動するレバーホルダと、レバーホルダを第１の方向と反対方向に付勢するスプリングと、レバーホルダに回動可能に設けられるレバー部材とを備えた構成となっている。サイドカバーが閉状態でレバー部材の回動が規制され、トップカバーとサイドカバーが閉状態のときに、レバー部材がマイクロスイッチを押圧することでマイクロスイッチが検知状態となる。
【０００４】
しかしながら、上記した特許文献２では、トップカバーとサイドカバーが閉まった状態において、レバー部材を介して、マイクロスイッチのボタンからの反力がサイドカバーにかかってしまっていた。このため、サイドカバーが閉じた状態において、サイドカバーがクリープ変形してしまうおそれや、サイドカバーが所望の位置からずれてしまうことで、サイドカバーの周りの外装部品と開閉部材との間に隙間や段差などが生じてしまうおそれなどがあった。これにより、マイクロスイッチのオン・オフを切り替えるタイミングがずれてしまう場合もあった。
【０００５】
また、マイクロスイッチからサイドカバーが反力を受けることで、サイドカバーが開き始めるタイミングで、反力によって、ユーザが意図しないにも関わらず開閉部材が開いてしまうことがあった。一方、開閉部材が完全に閉じるタイミングでは、反力によって、ユーザの意図に反して開閉部材が閉まりにくくなることがあった。
【先行技術文献】
【特許文献】
【０００６】
【特許文献１】特開平１１−３１６５２３号公報
【特許文献２】特開２００７−１２２０００号公報
【発明の概要】
【発明が解決しようとする課題】
【０００７】
本発明の目的は、開閉部材が閉じた状態で、検出手段から開閉部材に反力がかかることを抑制し得る画像形成装置を提供することである。
【課題を解決するための手段】
【０００８】
上記目的を達成するために、本発明である画像形成装置は、
装置本体と、前記装置本体に対して開閉する開閉部材と、前記開閉部材の開閉状態を検知するための検知手段と、前記開閉部材の開閉動作に連動して移動し、前記開閉部材が閉じた状態で前記検知手段を押圧するための押圧部材と、前記押圧部材を回転可能に支持す
る回転軸部と、を有する画像形成装置において、
前記開閉部材には、前記開閉部材が閉じる際に前記押圧部材と係合するための係合部が設けられており、
前記押圧部材には、前記係合部と係合する係合受け部と、前記検知手段を押圧する押圧部と、が設けられており、
前記開閉部材が閉じる際に、前記係合部が前記係合受け部に係合して、前記開閉部材が閉じる動作に連動して前記押圧部材が回転し、前記押圧部が前記検知手段を押圧することで前記検知手段を動作させ、
前記係合部が前記係合受け部に係合し前記開閉部材が閉じた状態において、前記押圧部材は、前記検知手段から前記押圧部材に作用する力の作用線が前記回転軸部を通過するように、構成されていることを特徴とする。
【発明の効果】
【００１０】
本発明は、開閉部材が閉じた状態で、マイクロスイッチから開閉部材に反力がかかることを抑制することができる。
【図面の簡単な説明】
【００１１】
【図１】実施例１に係る画像形成装置の全体構成を示す概略断面図
【図２】実施例１に係る画像形成装置の外観斜視図
【図３】実施例１に係る右ドアが開いた状態でのインターロックユニットを示す図
【図４】実施例１に係る画像形成装置における右ドアが開いた状態を示す図
【図５】実施例１に係る右ドアが閉じた状態でのインターロックユニットを示す図
【図６】実施例２に係る右ドアが開いた状態でのインターロックユニットを示す図
【図７】実施例２に係る右ドアを閉じる途中でのインターロックユニットを示す図
【図８】実施例２に係る右ドアが閉じた状態でのインターロックユニットを示す図
【図９】実施例３に係る画像形成装置における前ドアが開いた状態を示す図
【図１０】右ドアと前ドアが開いた状態でのインターロックユニットを示す図
【図１１】右ドアが開いて前ドアが閉じた状態でのインターロックユニットを示す図
【図１２】右ドアと前ドアが閉じた状態でのインターロックユニットを示す図
【図１３】右ドアが閉じて前ドアが開いた状態でのインターロックユニットを示す図
【発明を実施するための形態】
【００１２】
以下に図面を参照して本発明の実施形態を例示する。ただし、実施形態に記載されている構成部品の寸法や材質や形状やそれらの相対配置などは、発明が適用される装置の構成や各種条件などにより適宜変更されるべきものであり、この発明の範囲を以下の実施形態に限定する趣旨ではない。
【００１３】
（実施例１）
＜画像形成装置の全体構成＞
まず、画像形成装置１の全体構成について図１と図２を用いて説明する。図１は、実施例１に係る画像形成装置１の全体構成を示す概略断面図である。図２は、実施例１に係る画像形成装置１の外観斜視図である。図１に示す画像形成装置１において、最下段にはカセット給紙手段８０が、右部には手差し給紙手段７０が配置されている。また、カセット給紙手段８０の上部には、記録材Ｐの先端位置を合わせて搬送するレジローラ５１とレジ
対向ローラ５２とが配置されている。同じく、カセット給紙手段８０の上方には、像担持体としての感光体４７（４７Ｙ〜４７Ｂｋ）に静電潜像を形成する露光手段としてのレーザスキャナーユニット３０が配置されている。また、レーザスキャナーユニット３０の直上にはスキャナーフレーム３１が配置され、レーザスキャナーユニット３０はスキャナーフレーム３１に固定されている。
【００１４】
スキャナーフレーム３１の上方には４個のプロセスカートリッジ１０（１０Ｙ〜１０Ｂｋ）が配置されている。プロセスカートリッジ１０上方には、プロセスカートリッジ１０と対向するように中間転写ユニット４０が配置されている。中間転写ユニット４０は中間転写ベルト４１を備えており、中間転写ベルト４１の内側には、１次転写ローラ４２（４２Ｙ〜４２Ｂｋ）と駆動ローラ４３と２次転写対向ローラ４４とテンションローラ４５とが備えられている。また、中間転写ベルト４１の外側にはクリーニング手段４６が備えられている。中間転写ユニット４０の右側には、２次転写ユニット９０が配置されている。また、２次転写ユニット９０には、２次転写対向ローラ４４と対向するように２次転写ローラ９１が備えられている。
【００１５】
中間転写ユニット４０と２次転写ユニット９０の上部には定着ユニット２０が配置されている。また、定着ユニット２０の左上部には排紙ユニット６０を配置されている。排紙ユニット６０は、排紙ローラ対６１と、両面搬送部６２と、反転ローラ対６３と、分岐手段である両面フラッパ６４を備えている。また、画像形成制御部２にはＣＰＵ３が搭載されており、画像形成制御部２は、画像形成装置１の画像形成動作を一括して制御している。
画像形成装置１の右上部には、インターロックユニット１１０が配置されている。インターロックユニット１１０は、不図示の電源からレーザスキャナーユニット３０への電力供給のオン・オフを切り替える検知手段としてのインターロックスイッチ１１１を有している。また、インターロックユニット１１０は、インターロックスイッチ１１１を押圧可能な位置に配置される押圧部材としての作用部材１１３を有している。作用部材１１３は、インターロックスイッチ１１１の近傍に配置されている。
【００１６】
図２は、実施例１に係る画像形成装置１の外観斜視図である。図２に示すように、画像形成装置１の前側には前ドア１００（他の開閉部材）が配置され、前ドア１００は、プロセスカートリッジ１０（１０Ｙ〜１０Ｂｋ）を交換する際に開閉できるように画像形成装置１に回動可能に取り付けられている。画像形成装置１の右側には、手差し給紙手段７０を備えた開閉部材としての右ドア１０１が配置されている。また、右ドア１０１は、定着ユニット２０と中間転写ユニット４０を交換する際やジャムを処理する際などに開閉できるように画像形成装置１に回動可能に取り付けられている。
【００１７】
＜画像形成動作の説明＞
まず、画像形成制御部２（図１を参照）に、不図示のホストコンピュータ等から、印刷命令や画像情報等を含んだ印刷データが入力される。そして、画像形成装置１は印刷動作を開始し、記録材Ｐは、給送ローラ８１と給紙搬送ローラ８２と給紙搬送対応ローラ８３とによってカセット給紙手段８０から搬送路に給紙される。１枚目の記録材Ｐに画像を形成する際には、中間転写ベルト４１上に転写されたトナー像が搬送されるタイミングと、記録材Ｐが搬送されるタイミングとを同期する必要がある。そのため、１枚目の記録材Ｐは、２次転写ローラ９１の手前で、レジローラ５１とレジ対向ローラ５２とに狭持された状態で一旦停止する。そして、１枚目の記録材は、所定のタイミングで、中間転写ベルト４１から記録材Ｐにトナー像が転写される位置に搬送される。一方、２枚目以降の記録材Ｐは、一旦停止することなく連続的に搬送される。
【００１８】
記録材Ｐが給送される動作と同期して、プロセスカートリッジ１０（１０Ｙ〜１０Ｂｋ
）で形成された各色のトナー像は、中間転写ベルト４１に順次転写される。中間転写ベルト４１上に重ねて転写されたトナー像（カラーのトナー像）は、２次転写対向ローラ４４に向かって、中間転写ベルト４１とともに移動する。一方、一旦停止していた記録材Ｐは、レジローラ５１とレジ対向ローラ５２とが回転することによって搬送される。そして、記録材Ｐは、中間転写ベルト４１上のトナー像の搬送に合わせて、２次転写ローラ９１と中間転写ベルト４１とのニップ部に搬送される。そして、２次転写ローラ９１と中間転写ベルト４１とのニップ部において記録材Ｐにトナー像が転写される（二次転写）。
【００１９】
記録材Ｐに転写されたカラーのトナー像は、定着ローラ等から構成される定着ユニット２０によって加熱・加圧されることで記録材Ｐに定着する。トナー像が定着した後の記録材Ｐは、排紙ローラ対６１によって排紙トレイ６５に排出される。こうして、通常のカラー画像形成動作が終了する。また、画像形成装置１にはクリーニング手段４６が設けられており、クリーニング手段４６の内部に設けられたクリーニングブレード等の清掃部材によって、中間転写ベルト４１上に残ったトナーが掻き取られる。
【００２０】
＜インターロックスイッチユニットについての説明＞
図３は、実施例１に係る右ドア１０１が開いた状態でのインターロックユニット１１０を示す図である。図３では、右ドア１０１は開いた状態となっている。この状態では、インターロックスイッチ１１１はＯＦＦとなっており、電源（不図示）からレーザスキャナーユニット３０への電力の供給（直接電流よる電力の供給）を遮断している。作用部材１１３は、画像形成装置１の装置本体に設けられており、支持部としての回転軸１１３ａを中心に画像形成装置１に対して回動可能に支持されている。
【００２１】
図４は、実施例１に係る画像形成装置１における右ドア１０１が開いた状態を示す図である。図４に示すように、右ドア１０１には、作用部材１１３に接触することで作用部材１１３を回動させる係合突起としての右ドア突起１０１ａが配置されている。図５は、実施例１に係る右ドア１０１が閉じた状態でのインターロックユニット１１０を示す図である。右ドア１０１が閉まると、右ドア突起１０１ａが矢印Ｋ方向に移動し、作用部材１１３の係合受け部としての接触部１１３ｂに右ドア突起１０１ａが接触することで作用部材１１３を矢印Ｂ方向に回動させる。ここで、作用部材１１３の接触部１１３ｂは円弧面となっており、接触部１１３ｂの中心軸線と作用部材１１３の回転中心軸線とは一致している。
【００２２】
そして、作用部材１１３における押圧部としての当接部１１３ｃがインターロックスイッチ１１１を直接的に押圧する。また、インターロックスイッチ１１１は、作用部材１１３による押圧力によって弾性変形するばね機構を有している。そのため、作用部材１１３の当接部１１３ｃがインターロックスイッチ１１１を押圧する場合には、作用部材１１３の当接部１１３ｃはインターロックスイッチ１１１から反力を受ける。また、インターロックスイッチ１１１内には２つの電気的接点が設けられており、インターロックスイッチ１１１におけるスイッチ部が押圧されることで２つの電気的接点の接続が解除される。
【００２３】
そして、インターロックスイッチ１１１の反力に打ち勝ってインターロックスイッチ１１１がＯＮ状態となることで、電源（不図示）からレーザスキャナーユニット３０に電流が流れる。このとき、インターロックスイッチ１１１の反力は矢印Ｘ方向に働いている。作用部材１１３の回転軸１１３ａに矢印Ｘ方向が向かうように、インターロックスイッチ１１１と作用部材１１３とが配置されている。なお、作用部材１１３に押圧される部材は、必ずしも、インターロックスイッチ１１１である必要はない。例えば、作用部材１１３に押圧される部材は、右ドア１０１が開いていることを検知する検知手段であってもよい。作用部材１１３に押圧される部材は、作用部材１１３に反力を与えるものであれば特に限定されない。
【００２４】
それによって、インターロックスイッチ１１１からの反力は、作用部材１１３の回転軸１１３ａを軸支する画像形成装置１が受けることになる。さらに、インターロックスイッチ１１１の反力によって作用部材１１３に回転モーメントが発生しない。つまり、右ドア１０１が閉じた状態では、インターロックスイッチ１１１から作用部材１１３への反力が回転軸１１３ａに向かっている。インターロックスイッチ１１１からの反力の作用線と、回転軸１１３ａから作用部材１１３に作用する抗力の作用線とが略一致する。このため、インターロックスイッチ１１１の作用によって生じるモーメントであって、回転軸１１３ａを中心としたモーメントが作用部材１１３に生じない。作用部材１１３は、自立してインターロックスイッチ１１１を動作させることができる。
【００２５】
よって、作用部材１１３は、動くことなく、自立して動作状態を保持している。作用部材１１３の接触部１１３ｂと右ドア突起１０１ａとは接触しているが、接触部１１３ｂと右ドア突起１０１ａには互いに力が掛っていないため、右ドア１０１を所望の位置に配置することができる。また、ユーザが右ドア１０１を開閉するときにも、インターロックスイッチ１１１からの反力が右ドア１０１に影響しにくくなる。
【００２６】
図５の状態から右ドア１０１を開く場合は、右ドア突起１０１ａが矢印Ｌ方向に移動し、作用部材１１３の接触部１１３ｂに右ドア突起１０１ａが接触することで作用部材１１３が矢印Ｍ方向に回動する。そして、図３に示す状態となり、インターロックスイッチ１１１がＯＦＦとなることで、電源（不図示）からレーザスキャナーユニット３０への電流が遮断される。
【００２７】
つまり、右ドア１０１が閉まる動作に連動して接触部１１３ｂが右ドア突起１０１ａから力を受けることで、作用部材１１３が、回転軸１１３ａを中心に回転移動する。そして、右ドア突起１０１ａからの力によって作用部材１１３が回転して、作用部材１１３に設けられた当接部１１３ｃがインターロックスイッチ１１１を押圧することで、電源（不図示）からレーザスキャナーユニット３０への電力の供給がオフとなる。
【００２８】
以上のように、実施例１では、右ドア１０１が閉じた状態で、インターロックスイッチ１１１から作用部材１１３に作用する反力を、画像形成装置１の装置本体に設けられた作用部材１１３を回転可能に支持する回転軸１１３ａが受けている。これにより、右ドア１０１が閉じた状態で、インターロックスイッチ１１１から右ドア１０１に反力がかかることを抑制することができる。
【００２９】
また、実施例１では、作用部材１１３において、インターロックスイッチ１１１と当接する接触部１１３ｂは円弧面となっており、接触部１１３ｂの中心軸線は、作用部材１１３の回転中心軸線と一致している。これにより、インターロックスイッチ１１１から作用部材１１３が受ける反力は、作用部材１１３の回転中心軸線に向かう。
また、実施例１では、インターロックスイッチ１１１は、右ドア１０１が開いた状態であることを検知した場合に、電源からレーザスキャナーユニット３０への電力の供給を遮断する。これにより、レーザスキャナーユニット３０から照射されたレーザがユーザに当たることを抑制することができる。
【００３０】
（実施例２）
次に、実施例２について説明する。ここで、実施例２において、実施例１と同一の機能を有する部分についての説明は、同一の符号を付すことで省略する。図６は、実施例２に係る右ドア１０１が開いた状態でのインターロックユニット２１０を示す図である。図６に示すように、画像形成装置１には、画像形成装置１の装置本体のバネ支持部１ｂと、作用部材１１３のバネ支持部１１３ｄとを近づける方向に弾性力を付与する付勢部材として
の作用部材バネ２１４が設けられている。
【００３１】
作用部材バネ２１４の一端は、画像形成装置１に設けられたバネ支持部１ｂに支持され、作用部材バネ２１４の他端は、作用部材１１３に設けられたバネ支持部１１３ｄに支持されている。右ドア１０１が完全に開いた状態では、図６に示すように、作用部材１１３には矢印Ｆ方向に力がかかるように、作用部材１１３の回転軸１１３ａとバネ支持部１１３ｄとバネ支持部１ｂとが配置される。作用部材１１３は、画像形成装置１に設けられた不図示のストッパーによって位置決めされている。
【００３２】
図７は、実施例２に係る右ドア１０１を閉じる途中でのインターロックユニット２１０を示す図である。右ドア１０１を閉じる途中では、図７に示すように、作用部材１１３の回転軸１１３ａとバネ支持部１１３ｄとバネ支持部１ｂは直線状に並ぶ状態となることがある。このとき、作用部材バネ２１４から作用部材１１３にかかる力の向きは矢印Ｇ方向となり、作用部材１１３には回転する力（モーメント）が発生しない。
【００３３】
図８は、実施例２に係る右ドア１０１が閉じた状態でのインターロックユニット２１０を示す図である。図７に示す状態から右ドア１０１がさらに閉まると、作用部材バネ２１４から作用部材１１３にかかる力によって作用部材１１３が矢印Ｈ方向に回動する。そして、作用部材１１３の接触部１１３ｂが右ドア突起１０１ａに押圧され、右ドア突起１０１ａが、作用部材バネ２１４の弾性力によって移動する。これにより、右ドア１０１が矢印Ｉ方向に引き込まれる。つまり、作用部材バネ２１４は、作用部材１１３の回転方向に対して中立点をまたぐことで作用部材１１３の回転方向が変わるように作用部材１１３に付勢力を付与する。作用部材１１３は、右ドア１０１が開閉する際に作用部材バネ２１４の付勢力が中立点を通過するように配置されている。
【００３４】
つまり、右ドア１０１が完全に閉じる直前に、作用部材バネ２１４の弾性力によって作用部材１１３に生じるモーメントであって、回転軸１１３ａを中心としたモーメントが生じる。このモーメントは、当接部１１３ｃがインターロックスイッチ１１１を押圧する際に作用部材１１３が回転するＨ方向（第１方向）に生じる。実施例２では、右ドア１０１が完全に閉じる直前にこのようなモーメントが働くように、バネ支持部１ｂとバネ支持部１１３ｄと回転軸１１３ａとが配置されている。また、右ドア１０１が完全に閉じる直前に作用部材１１３に働くモーメントがＦ方向からＨ方向に切り替わるように、バネ支持部１ｂとバネ支持部１１３ｄと回転軸１１３ａとが配置されている。
【００３５】
そして、接触部１１３ｂが右ドア突起１０１ａを押圧して右ドア突起１０１ａが移動し始めた後、矢印Ｈ方向に回動した当接部１１３ｃが、インターロックスイッチ１１１を押圧する。そして、インターロックスイッチ１１１の反力に打ち勝って、インターロックスイッチ１１１がＯＮとなることで、電源（不図示）からレーザスキャナーユニット３０に電流が流れる。回転した作用部材１１３は、画像形成装置１に設けられた不図示のストッパーによって位置決めされる。
【００３６】
作用部材バネ２１４のバネ力によって、閉じる方向に右ドア１０１が引き込まれることによって、インターロックスイッチがＯＮとなる状態で、画像形成装置１の外装カバーと右ドア１０１との間に隙間や段差がなくすことができる。これにより、画像形成装置の品質を向上させることができる。さらに、右ドア１０１が閉まる直前に作用部材バネ２１４の弾性力によって右ドア１０１が引き込まれることによって、クリック感が発生し、ユーザが、ドアが閉じた感触を明確に認識することができる。
【００３７】
以上のように、実施例２では、作用部材バネ２１４は、作用部材１１３の回転方向に対して中立点をまたぐことで、作用部材１１３の回転方向が変わるように作用部材１１３に
付勢力を付与している。これにより、右ドア１０１が完全に閉じる直前に、作用部材バネ２１４の付勢力によって右ドア１０１が閉じる。
【００３８】
（実施例３）
次に、実施例３について説明する。ここで、実施例３において、実施例１と同一の機能を有する部分についての説明は、同一の符号を付すことで省略する。
＜インターロックユニット３１０についての説明＞
図９は、実施例３に係る画像形成装置１における前ドア１００が開いた状態を示す図である。図９に示すように、前ドア１００には、第２作用部材３１２（他の押圧部材）に接触することで第２作用部材３１２を移動させるための前ドア突起１００ａが配置されている。
【００３９】
第２作用部材３１２は、画像形成装置１の装置本体に設けられており、押圧部３１２ｄ（図１２を参照）と、前ドア突起１００ａから力を受ける接触部３１２ｂと、当接部３１３ｃから力を受ける当接部３１２ｃとを有している。また、当接部３１２ｃが当接部３１３ｃから力を受けることができない第１位置（第１状態）と、当接部３１２ｃが当接部３１３ｃから力を受けることができる第２位置（第２状態）と、の間を移動できるように支持されている。第１状態では、第２作用部材３１２は第１作用部材３１３から離間しており、第２状態では、第２作用部材３１２は第１作用部材３１３に接近している。前ドア１００が閉じて、前ドア突起１００ａから接触部３１２ｂが力を付与されることで、第２作用部材３１２が第２位置に移動する。
【００４０】
図１０は、右ドア１０１と前ドア１００が開いた状態でのインターロックユニット３１０を示す図である。実施例３に係るインターロックユニット３１０には、第１作用部材３１３と、インターロックスイッチ１１１と、インターロックスイッチ１１１を押圧するための第２作用部材３１２とが配置されている。図１０では、前ドア１００と右ドア１０１はともに開いた状態となっている。この状態では、インターロックスイッチ１１１はＯＦＦとなっているため、電源（不図示）からレーザスキャナーユニット３０への電流が遮断される。
【００４１】
第２作用部材３１２の回転軸３１２ａは、画像形成装置１に設けられている長丸穴１ａに嵌合する。回転軸３１２ａが長丸穴１ａにガイドされることで、第２作用部材３１２は、長丸穴１ａが延びる方向に移動する。また、回転軸３１２ａが長丸穴１ａに嵌合していることで、第２作用部材３１２は、画像形成装置１に対して回動可能に支持されている。一方、第１作用部材３１３は、回転中心軸線３１３ａを中心に、画像形成装置１に対して回動可能に支持されている。
【００４２】
次に、実施例３に係るインターロックユニット３１０の動作について説明する。図１１は、右ドア１０１が開き、前ドア１００が閉じた状態におけるインターロックユニット３１０を示す図である。第２作用部材３１２の接触部３１２ｂと前ドア突起１００ａとが接触することで、第２作用部材３１２が矢印Ａ方向に移動する。このとき、第２作用部材３１２は、インターロックスイッチ１１１と第１作用部材３１３には接触していない。
【００４３】
図１２は、右ドア１０１と前ドア１００が閉じた状態におけるインターロックユニット３１０を示す図である。右ドア１０１が閉じると、第１作用部材３１３の接触部３１３ｂに右ドア突起１０１ａが接触することで、第１作用部材３１３が矢印Ｊ方向に回動する。そして、第１作用部材３１３の当接部３１３ｃが、第２作用部材３１２の一部である当接部３１２ｃを押圧する。
【００４４】
第２作用部材３１２は回転軸３１２ａを中心に矢印Ｃ方向に回動し、第２作用部材３１
２の押圧部３１２ｄがインターロックスイッチ１１１を押圧する。そして、インターロックスイッチ１１１の反力に打ち勝って、インターロックスイッチ１１１がＯＮとなることで、電源（不図示）からレーザスキャナーユニット３０に電流が流れる。また、接触部３１２ｂは円弧面となっており、円弧面である接触部３１２ｂの中心軸線は、回転軸３１２ａの回転中心軸線と略一致する。これにより、接触部３１２ｂに前ドア突起１００ａが接触していても、前ドア突起１００ａから接触部３１２ｂへの反力は、回転軸３１２ａの回転中心軸線に向かう。そのため、前ドア突起１００ａから接触部３１２ｂへの反力によって第２作用部材３１２にモーメントが生じない。
【００４５】
このとき、インターロックスイッチ１１１から第２作用部材３１２への反力は、矢印Ｙ方向に働き、第２作用部材３１２を介して前ドア突起１００ａに伝わる。しかし、前ドア突起１００ａに伝わった反力が働く方向と、前ドア１００の開閉方向とは位相が９０°ずれている。実施例２では、前ドア１００は回転軸１００ｂ（図９を参照）を中心に回動し、回転軸１００ｂと、回転軸３１２ａの回転中心軸線３１２ｅとが直交している。また、画像形成装置１の筐体において、右ドア１０１が配置される第１面と、前ドア１００が配置される第２面とは直交しており、右ドアの回転軸は第２面と直交しており、前ドア１００の回転軸は第１面と直交している。これにより、インターロックスイッチ１１１から第２作用部材３１２への反力は、前ドア１００の開閉動作には影響しない。
【００４６】
同時に、インターロックスイッチ１１１から第２作用部材３１２への反力は、第２作用部材３１２を介して第１作用部材３１３にも伝わる。インターロックスイッチ１１１から第２作用部材３１２への反力は第１作用部材３１３に矢印Ｄ方向に働く。実施例３では、第１作用部材３１３の回転中心軸線３１３ａに矢印Ｄ方向が向くように、当接部３１２ｃの形状を設定するとともに、第１作用部材３１３を配置している。これにより、インターロックスイッチ１１１からの反力は、第１作用部材３１３の回転中心軸線３１３ａを軸支する画像形成装置１が受けることとなる。また、インターロックスイッチ１１１から第２作用部材３１２への反力によって第１作用部材３１３にモーメントが発生しない。よって、第１作用部材３１３は、動くことなく自立して静止することとなる。
【００４７】
図１３は、右ドア１０１が閉じて前ドア１００が開いた状態におけるインターロックユニット３１０を示す図である。前ドア１００が開き始めると、第２作用部材３１２は、インターロックスイッチ１１１からの反力によって矢印Ｅ方向に回動する。そして、インターロックスイッチ１１１がＯＦＦとなることで、電源（不図示）からレーザスキャナーユニット３０への電流が遮断される。このタイミングでは、第２作用部材３１２は、インターロックスイッチ１１１に接触していない。
【００４８】
そして、前ドア１００と右ドア１０１とがともに開いた状態（図１０を参照）から、右ドア１０１が閉じて前ドア１００が開いた状態（図１３を参照）に変わっても、インターロックスイッチ１１１からの反力は右ドア１０１には伝わらない。同様に、図１３に示す状態から図１２に示す状態に状態が変わっても、インターロックスイッチ１１１からの反力は右ドア１０１には伝わらない。右ドア１０１が閉じた状態であっても、前ドア１００の開閉状態に関わらず、インターロックスイッチ１１１からの反力は右ドア１０１には伝わらない。これにより、画像形成装置１の外装カバーと右ドア１０１との間に隙間や段差がなくすことができる。なお、ユーザが右ドア１０１を開閉する際にも、インターロックスイッチ１１１から第２作用部材３１２への反力は影響しない。
【００４９】
以上のように、実施例３では、右ドア１０１が配置される面と隣接する面に配置される前ドア１００と、前ドア１００の開閉動作と連動して移動する第２作用部材３１２とが配置されている。そして、第１作用部材３１３は、右ドア１０１と前ドア１００とがともに閉じた状態で、第２作用部材３１２を介して間接的にインターロックスイッチ１１１を押
圧することでインターロックスイッチ１１１を動作させる。これにより、複数のドアの開閉を１つのスイッチで検知することができる。
【００５０】
なお、各実施例において、作用部材１１３または第２作用部材３１２に押圧される部材は、必ずしも、インターロックスイッチ１１１である必要はない。例えば、作用部材１１３に押圧される部材は、右ドア１０１が開いていることを検知する検知手段であってもよい。作用部材１１３に押圧される部材は、作用部材１１３に反力を与えるものであれば特に限定されない。
【符号の説明】
【００５１】
１…画像形成装置、１０１…右ドア、１１１…インターロックスイッチ、
１１３…作用部材、１１３ａ…回転軸
【図１】
0006659146.tif 000002
【図２】
0006659146.tif 000003
【図３】
0006659146.tif 000004
【図４】
0006659146.tif 000005
【図５】
0006659146.tif 000006
【図６】
0006659146.tif 000007
【図７】
0006659146.tif 000008
【図８】
0006659146.tif 000009
【図９】
0006659146.tif 000010
【図１０】
0006659146.tif 000011
【図１１】
0006659146.tif 000012
【図１２】
0006659146.tif 000013
【図１３】
0006659146.tif 000014